(57)【要約】【課題】ダイビング用フェイスマスクにおいて、そのスカートの顔接縁部により、装着者の顔面に装着痕が生ずるのを防止する。【解決手段】ダイビング用フェイスマスク１０において、レンズフレーム１１に装着されるスカート１３の顔接縁部２１の先端縁２７，２８が隆起したほぼ球面に形成される。【選択図】図３
2006204423.tif 000002
【特許請求の範囲】
【請求項１】
レンズを有するレンズフレームと、前記レンズフレームに装着された基縁部及び装着者の顔面に弾性的に圧接する顔接縁部を有するほぼ円筒状のスカートとを含むダイビング用フェイスマスクにおいて、
前記顔接縁部の先端縁の断面形状が隆起するほぼ球面に形成されていることを特徴とする前記フェイスマスク。
【請求項２】
前記顔接縁部が内側部分と外側部分とに分岐し、前記内外側部分の先端縁がほぼ球面に形成されている請求項１に記載のフェイスマスク。
【請求項３】
前記スカートが、前記基縁部と前記外側部分の前記先端縁とのほぼ中間に分岐部を有し、前記分岐部から前記内外側部分の前記先端縁へ向かって次第に肉薄に形成され、その肉薄の終端よりも前記先端縁が肉厚に形成されている請求項１又は２に記載のフェイスマスク。
【請求項４】
前記内外側部分の少なくとも外側部分の内面が凸面になるように湾曲している請求項１〜３のいずれかに記載のフェイスマスク。
【発明の詳細な説明】
【技術分野】
【０００１】
この発明は、ダイビング用フェイスマスクに関し、さらに詳しくは、前記マスクの、装着者の顔面に弾性的に圧接するスカートの顔接縁部の形状に関する。
【背景技術】
【０００２】
従来、例えば、特許文献１に開示されているダイビング用フェイスマスクの本体は、レンズを有するレンズフレームと、これに装着されたスカートとから構成されている。スカートは、ほぼ円筒状に形成され、顔接縁部を有している。一般に顔接縁部の先端縁の断面形状は尖鋭に形成されている。さらに具体的に非特許文献１としての図５により説明する。図５は従来におけるダイビング用フェイスマスクの顔接縁部の一部の断面図を示す。顔接縁部１００は内外側部分１０１，１０２に分岐し、それら部分の先端縁（１０３，１０４）が尖鋭状に形成されていて、マスクの装着状態では、それら部分の先端縁が装着者の顔面に圧接する。
【特許文献１】特許第３５３６００４号公報
【非特許文献１】図５
【発明の開示】
【発明が解決しようとする課題】
【０００３】
以上に述べた従来のダイビングフェイスマスクでは、顔接縁部の先端縁が装着者の顔面に圧接したことにより、装着者の顔面に装着痕が生じ易い。装着痕は、その程度にもよるが、また、その持続が一時的ではあるとしても、装着者の顔面を醜くするばかりではなく、皮膚病の原因ともなりかねないことがある。
【０００４】
この発明は、このような従来におけるダイビングフェイスマスクのスカートの顔接縁部が有していた問題を解決しようとするものであり、装着者の顔面に装着痕を生じさせない顔接縁部を有するダイビングフェイスマスクを実現することを目的にするものである。
【課題を解決するための手段】
【０００５】
上記目的を達成するための、この発明に係るダイビング用フェイスマスクはレンズを有するレンズフレームと、前記レンズフレームに装着された基縁部及び装着者の顔面に弾性的に圧接する顔接縁部を有するほぼ円筒状のスカートとを含むダイビング用フェイスマスクにおいて、前記顔接縁部の先端縁の断面形成が隆起するほぼ球面に形成されていることを特徴とするものである。
【０００６】
この発明においては、前記顔接縁部は、内側部分と外側部分とに分岐し、前記内外側部分の先端縁が前述のようにほぼ球面に形成されることが好ましい。こうすることで、前記顔接縁部を装着者の顔面に確実かつ安定的に圧接させ、スカートにその機能を充分に果たさせることができるからである。
【０００７】
この機能をさらに向上させるためには、前記スカートは、前記基縁部と前記先端縁とのほぼ中間に分岐部を有し、それらの分岐部から前記内外側部分の前記先端縁に向かって次第に肉薄に形成され、その肉薄の終端よりも前記先端縁が肉厚に形成されていることが好ましい。一般に、前記顔接縁部は、前記スカートの基縁部に比較して肉薄に形成されるが、前記先端縁が、隆起する部分だけ肉厚に形成されているので、補強リブの機能を果たす。したがって、前記先端縁が、妄りに変形することなく安定的にかつ、装着者の顔面に水密に圧接し、水がマスク内に浸入することを未然に防止することができる。
【０００８】
さらにまた、前記機能を向上させるためには、前記内外側部分の少なくとも外側部分の内面が凸面になるように湾曲していることが好ましい。こうした場合には、湾曲した部分が装着者の顔面に圧接した状態では、その弾性に抗してほぼ平面形状に変形し、装着者の顔面に対する弾性的な接触面積が拡大するからである。
【発明の効果】
【０００９】
この発明に係るダイビング用フェイスマスクによれば、スカートの顔接縁部の先端縁が隆起するほぼ球面に形成されているから、その先端縁が装着者の顔面に圧接することによって生ずる装着痕を未然に防止することができる。
【発明を実施するための最良の形態】
【００１０】
この発明に係るダイビング用フェイスマスクの実施の形態を図示例を参照して説明すると、以下のとおりである。
【００１１】
図１〜３において、ダイビング用フェイスマスク１０は、レンズフレーム１１と、レンズフレーム１１に保持されるレンズ１２と、レンズフレーム１１に装着されその後方向へ延びるスカート１３と、レンズフレーム１１の両側部にバックル１４を介して連結されるストラップ１５とを含む。
【００１２】
レンズフレーム１１は、それぞれ硬質プラスチック材料から形成された内外側フレーム１７，１８から構成されている。レンズ１２は、周縁部１２ａが内外側フレーム１７，１８間の内周に画成される環状保持溝１９に嵌入することで保持される。スカート１３は、硬質の、ゴム、プラスチック材料からほぼ円筒状に形成され、基縁部２０と、顔接縁部２１と、基縁部２０及び顔接縁部２１間の中間部２２とを有し、基縁部２０が内外側フレーム１７，１８間の内周に画成される環状保持溝２３に嵌入することで保持される。
【００１３】
図３に拡大断面図で示すように、スカート１３は、中間部２２の基縁部２０に隣接する部位において特に肉厚に形成されるとともに、顔接縁部２１へ向かって次第に肉薄に形成される。顔接縁部２１は、中間部２２の分岐部２４において、内側部分２５と、外側部分２６とに分岐する。内側部分２５は、分岐部２４から、スカート１３の径方向内側へ延在し、先端縁２７へ向かって次第に肉薄に形成される。外側部分２６は、分岐部２４から、スカート１３の径方向外側へ内側部分２５よりも長く延在し、先端縁２８へ向かって次第に肉薄に形成される。ただし、内外側部分２５，２６の肉厚は、内側部分において薄く、かつ、外側部分２６において厚く、それぞれ形成され、したがって、内外側部分２５，２６の、装着者の顔面に対する弾性圧接力は、内側部分２５において低く、かつ、外側部分２６において高い。先端縁２７，２８は、隆起するほぼ球面に形成される。このため、フェイスマスク１０の装着状態において、顔接縁部２１が装着者の顔面に弾性的に圧接するところ、先端縁２７，２８によって、先端縁２７，２８が尖鋭状である既述の従来におけるフェイスマスクとは異なり、顔面の皮膚が局部的に鋭く圧接されることがないので、顔面に装着痕が生ずることがないか、生じたとしてもそれは極めて軽微なものにすぎず、比較的短時の経過で消失する。
【００１４】
図４は、この発明の他の実施の形態に係るダイビング用フェイスマスクを示す。この実施の形態は、図１〜３に示す実施の形態とは、顔接縁部２１の外側部分２６の形状が僅かに異なる点を除いて、すべての構成が同じであるので、図１〜３に示す実施の形態と同符号を付して説明を省略する。
【００１５】
この実施の形態における顔接縁部２１の外側部分２６は、その内面が凸面になるように湾曲する。このため、外側部分２６が装着者の顔面に圧接した状態では、その湾曲による弾性、すなわち、クッション弾性に抗してほぼ平面形状に変形し、装着者の顔面に対する弾性的な接触面積が拡大し、フェイスマスク１０の装着安定性が向上するうえ、フェイスマスク１０内への水の浸入の防止を図るうえで有利である。必要に応じて、内側部分２５もまた、同様に湾曲させてあってもよい。
【００１６】
なお、スカート１３の中間部２２の、基縁部２０に隣接する部位において肉厚に形成されていることで、その肉厚部分が補強機能を果たして、フェイスマスク１０の装着状態における保形性が確保される。また、スカート１３が顔接縁部２１へ向かって次第に肉薄に形成されるとともに、顔接縁部２１を構成する内外側部分２５，２６もまた分岐部２４から先端縁２７，２８へ向かって次第に肉薄に形成されることで、装着者の顔面に妄りに変形することなく柔らかく、かつ、確実・水密にフィットするという効果が得られる。
【図面の簡単な説明】
【００１７】
【図１】この発明に係るダイビング用フェイスマスクの正面図。
【図２】同上マスクの一部を破断した平面図。
【図３】同上マスクの側部におけるこの発明の要部を示す拡大断面図。
【図４】他の実施の形態を示す図３と同様の拡大断面図。
【図５】従来におけるダイビング用フェイスマスクのスカートの顔接縁部の断面形状を示す。
【符号の説明】
【００１８】
１０    フェイスマスク
１１    レンズフレーム
１２    レンズ
１３    スカート
２０    基縁部
２１    顔接縁部
２２    中間部
２４    分岐部
２５    内側部分
２６    外側部分
２７，２８    先端縁
【図１】
2006204423.tif 000003
【図２】
2006204423.tif 000004
【図３】
2006204423.tif 000005
【図４】
2006204423.tif 000006
【図５】
2006204423.tif 000007